【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
減圧を用いて組織部位を治療するシステムにおいて、
前記組織部位に近接して配置されるように構成されたマニホールドと；
前記マニホールドを覆うように構成されたドレープと；
主ルーメンおよび副ルーメンを含む導管と；
コネクタであって、
空洞を有するコネクタ本体であって、前記空洞が、前記ドレープにあるアパーチャを通して前記マニホールドに結合されるように構成されている、コネクタ本体、
前記導管を受け入れかつ前記主ルーメンを前記空洞に結合するように構成された導管ポート、
前記導管ポートに結合され、かつ前記空洞および前記ドレープ内の前記アパーチャを通して前記副ルーメンを前記マニホールドに結合するように構成された感知プローブ
を含むコネクタと
を含むことを特徴とする、システム。
【請求項２】
請求項１に記載のシステムにおいて、前記副ルーメンに結合されるように構成された圧力センサーをさらに含むことを特徴とする、システム。
【請求項３】
請求項１に記載のシステムにおいて、前記主ルーメンに結合されるように構成された減圧源をさらに含むことを特徴とする、システム。
【請求項４】
請求項１に記載のシステムにおいて、
前記主ルーメンに結合されるように構成された減圧源と；
前記副ルーメンに結合されるように構成された圧力センサーと
をさらに含むことを特徴とする、システム。
【請求項５】
請求項１に記載のシステムにおいて、前記コネクタ本体の周辺部分から延在しかつ前記ドレープに結合されるように構成されたベースをさらに含むことを特徴とする、システム。
【請求項６】
請求項１に記載のシステムにおいて、前記コネクタが、前記コネクタ本体の内面に形成された１つ以上のチャンネルをさらに含み、前記チャンネルは、前記導管ポートへと流体を方向付けるように構成されていることを特徴とする、システム。
【請求項７】
請求項１乃至６の何れか１項に記載のシステムにおいて、前記感知プローブがエルボーを含むことを特徴とする、システム。
【請求項８】
請求項５に記載のシステムにおいて、前記感知プローブが、前記導管ポートから、前記ベースによって占められる平面まで延在することを特徴とする、システム。
【請求項９】
請求項５に記載のシステムにおいて、前記感知プローブが、前記導管ポートから、前記ベースによって占められる平面を越えて延在することを特徴とする、システム。
【請求項１０】
請求項１乃至９の何れか１項に記載のシステムにおいて、前記感知プローブの遠位端部が、前記マニホールドの露出部分に接触することを特徴とする、システム。
【請求項１１】
請求項１乃至１０の何れか１項に記載のシステムにおいて、２つ以上の感知プローブをさらに含むことを特徴とする、システム。
【請求項１２】
請求項１乃至１１の何れか１項に記載のシステムにおいて、４つの感知プローブをさらに含むことを特徴とする、システム。
【請求項１３】
請求項１２に記載のシステムにおいて、前記感知プローブの各々の遠位端部が離間するように、前記感知プローブが位置決めされていることを特徴とする、システム。
【請求項１４】
請求項１３に記載のシステムにおいて、各感知プローブの前記遠位端部が、隣接する感知プローブの前記遠位端部から等距離で離間していることを特徴とする、システム。
【請求項１５】
減圧を用いて組織部位を治療するシステムにおいて、
前記組織部位に近接して配置されるように構成されたマニホールドと；
前記マニホールドを覆うように構成されたドレープであって、アパーチャが形成されるように構成されたドレープと；
減圧源と；
前記減圧源から減圧を受けるように構成された第１の端部、および第２の端部を有する主ルーメン、ならびに圧力センサーに流体的に結合されるように構成された第１の端部、および第２の端部を有する少なくとも１つの副ルーメンを含む導管と；
前記ドレープを通して前記マニホールドに減圧をもたらすように構成されたコネクタであって、
コネクタ本体の第１の端部に空洞アパーチャを含む空洞を有するコネクタ本体；
前記コネクタ本体の第２の端部から延在しかつ前記主ルーメンの前記第２の端部および前記少なくとも１つの副ルーメンの前記第２の端部を前記コネクタ本体に流体的に結合するように構成された導管ポート；
前記ドレープに隣接して位置決めされるように構成された、前記空洞アパーチャに隣接する前記コネクタ本体の周辺部分から延在するベースであって、前記空洞は、前記ドレープの前記アパーチャを通して前記マニホールドに流体的に結合されるように構成されている、ベース；および
前記少なくとも１つの副ルーメンに流体的に結合されるように構成された近位端部、および前記空洞アパーチャに延在する遠位端部を有する感知プローブであって、前記遠位端部は、前記マニホールドに隣接しかつ流体連通して位置決めされるように構成されている、感知プローブ
を含むコネクタと
を含むことを特徴とする、システム。
【請求項１６】
請求項１５に記載のシステムにおいて、前記感知プローブの前記遠位端部が、前記空洞から、前記ベースによって占められる平面まで延在することを特徴とする、システム。
【請求項１７】
請求項１５に記載のシステムにおいて、前記感知プローブの前記遠位端部が、前記空洞から、前記ベースによって占められる平面を越えて延在することを特徴とする、システム。
【請求項１８】
請求項１５に記載のシステムにおいて、前記感知プローブの前記遠位端部が前記マニホールドの露出部分に接触することを特徴とする、システム。
【請求項１９】
請求項１５に記載のシステムにおいて、前記感知プローブがエルボーを含むことを特徴とする、システム。
【請求項２０】
請求項１５に記載のシステムにおいて、前記感知プローブが２つ以上の感知プローブを含み、各感知プローブが、隣接する感知プローブの前記遠位端部から離間した遠位端部を有し；および
少なくとも１つの副ルーメンが２つ以上の副ルーメンを含み、各感知プローブが、別個の副ルーメンに空気圧的に結合されていることを特徴とする、システム。
【請求項２１】
請求項２０に記載のシステムにおいて、前記２つ以上の感知プローブが４つの感知プローブを含むことを特徴とする、システム。
【請求項２２】
請求項２１に記載のシステムにおいて、
前記４つの感知プローブのうちの１つの感知プローブが、前記感知プローブの遠位端部が前記空洞アパーチャの内側部分に近接して配置されるように、位置決めされ；および
前記感知プローブのうちの３つの感知プローブが、前記３つの感知プローブのそれぞれの遠位端部が前記１つの感知プローブから離間されるように、位置決めされることを特徴とする、システム。
【請求項２３】
請求項２２に記載のシステムにおいて、各感知プローブの前記遠位端部が、隣接する感知プローブの前記遠位端部から等距離で離間していることを特徴とする、システム。
【請求項２４】
導管と減圧治療システムのマニホールドを流体的に結合するコネクタにおいて、
コネクタ本体の第１の端部に空洞アパーチャを含む空洞を有するコネクタ本体と；
前記コネクタ本体の第２の端部から延在し、および前記導管の主ルーメンの端部を前記空洞に流体的に結合しかつ少なくとも１つの副ルーメンの端部を前記コネクタ本体に流体的に結合するように構成された導管ポートと；
前記空洞アパーチャに隣接する前記コネクタ本体の周辺部分から延在し、および前記マニホールドを覆うドレープに隣接して位置決めされるように構成されたベースであって、前記空洞が、前記ドレープに形成されたアパーチャを通して前記マニホールドに流体的に結合されるように構成されている、ベースと；
前記少なくとも１つの副ルーメンに流体的に結合されるように構成された近位端部、および前記空洞アパーチャに延在する遠位端部を有する感知プローブであって、前記遠位端部は、前記マニホールドに隣接しかつそれと流体連通するように位置決めされるように構成されている、感知プローブと
を含むことを特徴とする、コネクタ。
【請求項２５】
請求項２４に記載のコネクタにおいて、前記感知プローブの前記遠位端部が、前記空洞から、前記ベースによって占められる平面まで延在することを特徴とする、コネクタ。
【請求項２６】
請求項２４に記載のコネクタインターフェースにおいて、前記感知プローブの前記遠位端部が、前記空洞から、前記ベースによって占められる平面を越えて延在することを特徴とする、コネクタインターフェース。
【請求項２７】
請求項２４に記載のコネクタにおいて、前記感知プローブがエルボーを含むことを特徴とする、コネクタ。
【請求項２８】
請求項２４に記載のコネクタにおいて、
前記感知プローブが２つ以上の感知プローブを含み、各感知プローブが、隣接する感知プローブの前記遠位端部から離間した遠位端部を有し；および
前記少なくとも１つの副ルーメンが２つ以上の副ルーメンを含み、各感知プローブが、別個の副ルーメンに空気圧的に結合されていることを特徴とする、コネクタ。
【請求項２９】
請求項２８に記載のコネクタにおいて、前記２つ以上の感知プローブが４つの感知プローブを含むことを特徴とする、コネクタ。
【請求項３０】
請求項２９に記載のコネクタにおいて、
前記４つの感知プローブのうちの１つの感知プローブが、前記感知プローブの遠位端部が前記空洞アパーチャの内側部分に近接して配置されるように、位置決めされ；および
前記感知プローブのうちの３つの感知プローブが、前記感知プローブのそれぞれの遠位端部が前記１つの感知プローブから離間されるように、位置決めされることを特徴とする、コネクタ。
【請求項３１】
請求項３０に記載のコネクタにおいて、各感知プローブの前記遠位端部が、隣接する感知プローブの前記遠位端部から等距離で離間していることを特徴とする、コネクタ。
【請求項３２】
導管と減圧治療システムのマニホールドを流体的に結合するコネクタにおいて、
空洞を有するコネクタ本体であって、前記空洞が、ドレープにあるアパーチャを通して前記マニホールドに流体的に結合されるように構成されている、コネクタ本体と；
前記コネクタ本体に結合された導管ポートであって、前記導管を受け入れかつ主ルーメンを前記空洞に流体的に結合するように構成されている導管ポートと；
前記導管ポートに空気圧的に結合され、および前記空洞および前記ドレープの前記アパーチャを通して副ルーメンを前記マニホールドに空気圧的に結合するように構成された感知プローブと
を含むことを特徴とする、コネクタ。
【請求項３３】
請求項３２に記載のシステムにおいて、前記コネクタ本体の周辺部分から延在しかつ前記ドレープに結合されるように構成されたベースをさらに含むことを特徴とする、システム。
【請求項３４】
請求項３２に記載のシステムにおいて、前記コネクタ本体の内面に形成された１つ以上のチャンネルをさらに含み、前記チャンネルが、流体を前記導管ポートへ方向付けるように構成されていることを特徴とする、システム。
【請求項３５】
請求項３２乃至３４の何れか１項に記載のシステムにおいて、前記感知プローブがエルボーを含むことを特徴とする、システム。
【請求項３６】
マニホールドを減圧源に流体的に結合するコネクタにおいて、
アパーチャを有するベースと；
主ルーメンおよび副ルーメンを受け入れるように構成された導管ポートと；
前記アパーチャを前記導管ポートに流体的に結合する空洞を有するコネクタ本体と；
前記空洞に配置された感知プローブであって、前記アパーチャおよび前記導管ポートに空気圧的に結合されている感知プローブと
を含むことを特徴とする、コネクタ。
【請求項３７】
請求項３６に記載のコネクタにおいて、前記空洞が、前記アパーチャを前記主ルーメンに流体的に結合するように構成されていることを特徴とする、コネクタ。
【請求項３８】
請求項３６に記載のコネクタにおいて、前記感知プローブが、前記アパーチャを前記副ルーメンに空気圧的に結合するように構成されていることを特徴とする、コネクタ。
【請求項３９】
請求項３６に記載のコネクタにおいて、前記感知プローブが、前記アパーチャと前記導管ポートとの間に配置されたエルボーを含むことを特徴とする、コネクタ。
【請求項４０】
請求項３６に記載のコネクタにおいて、前記感知プローブが、前記アパーチャを通って前記ベースを越えて延在する遠位端部を含むことを特徴とする、コネクタ。
【請求項４１】
請求項３６に記載のコネクタにおいて、
前記空洞が、ドレープを通して前記マニホールドを前記主ルーメンに流体的に結合するように構成され；および
前記感知プローブが、前記アパーチャを前記副ルーメンに空気圧的に結合するように構成されていることを特徴とする、コネクタ。
【請求項４２】
請求項３６に記載のコネクタにおいて、
前記空洞が、前記アパーチャを前記主ルーメンに流体的に結合するように構成され；
前記感知プローブが、前記ドレープを通して前記アパーチャを前記副ルーメンに空気圧的に結合するように構成され；および
前記アパーチャが、前記ドレープを通って前記空洞を前記マニホールドに結合するように構成されていることを特徴とする、コネクタ。
【請求項４３】
減圧システムを用いて組織部位に減圧を適用する方法において、
組織部位に、アパーチャを有するドレッシングを、前記ドレッシングのマニホールドの一部分を露出させるように、準備することと；
コネクタの内側部分に近接して遠位端部を有する感知プローブを含むコネクタを、前記ドレッシングの第１の側面に近接して結合することと；
前記ドレッシングの前記アパーチャに近接して前記感知プローブの前記遠位端部を位置決めすることであって、それにより前記遠位端部が、前記マニホールドと隣接しかつ流体連通して位置決めされる、位置決めすることと；
減圧源を用いて前記コネクタに減圧を供給することと；
前記感知プローブおよび減圧の供給が空気圧的に結合されているかどうかを判断することと；
前記感知プローブおよび減圧の前記供給が空気圧的に結合されている場合、減圧を供給し続けることと；
前記感知プローブおよび減圧の前記供給が空気圧的に結合されていない場合、減圧の不適切な適用を表示することと
を含むことを特徴とする、方法。
【請求項４４】
請求項４３に記載の方法において、前記感知プローブおよび減圧の前記供給が空気圧的に結合されていない場合、前記方法が、前記ドレッシングから前記コネクタを取り外すことをさらに含むことを特徴とする、方法。
【請求項４５】
請求項４４に記載の方法において、
前記アパーチャが好適なサイズおよび形状であるかどうかを判断するために前記ドレッシングを検査することと；
前記アパーチャが好適なサイズおよび形状ではない場合、前記アパーチャが好適なサイズおよび形状であるように前記ドレッシングの前記アパーチャを形成することと
をさらに含むことを特徴とする、方法。
【請求項４６】
請求項４５に記載の方法において、前記アパーチャが好適なサイズおよび形状であるように前記ドレッシングの前記アパーチャを形成することが、前記アパーチャのサイズおよび形状が前記コネクタの空洞の空洞アパーチャのサイズおよび形状と実質的に同様であるように、前記アパーチャを形成することを含むことを特徴とする、方法。
【請求項４７】
請求項４５に記載の方法において、
前記コネクタを再度位置決めして、前記感知プローブの前記遠位端部が前記コネクタの前記アパーチャに隣接するようにすることと；
前記コネクタを前記ドレッシングに結合することと
をさらに含むことを特徴とする、方法。
【請求項４８】
請求項４５に記載の方法において、前記アパーチャが好適なサイズおよび形状である場合、前記方法が、前記感知プローブの前記遠位端部を前記ドレッシングの前記アパーチャの内側部分と位置合わせすることをさらに含むことを特徴とする、方法。
【請求項４９】
減圧源にマニホールドを結合する方法において、
組織部位に近接して前記マニホールドを配置することと；
シール部材によって前記マニホールドを覆うことと；
前記シール部材にある開口部の上側を覆うように、空洞および減圧インターフェースのセンサープローブを位置決めすることと；
前記減圧インターフェースを前記シール部材に結合して、前記空洞が、前記シール部材にある前記開口部を通して前記マニホールドに結合され、および前記シール部材にある前記開口部を通して前記センサープローブが前記マニホールドに結合されるようにすることと；
前記減圧源を前記空洞に結合することと；
前記センサープローブを圧力センサーに結合することと
を含むことを特徴とする、方法。
【請求項５０】
請求項４９に記載の方法において、
前記減圧源を前記空洞に結合することが、主ルーメンを前記減圧源および前記空洞に結合することを含み；および
前記センサープローブを前記圧力センサーに結合することが、副ルーメンを前記センサープローブおよび前記圧力センサーに結合することを含むことを特徴とする、方法。
【請求項５１】
請求項４９に記載の方法において、
前記減圧源を前記空洞に結合することが、導管の主ルーメンを前記減圧源および前記減圧インターフェースの導管ポートに結合することを含み；および
前記センサープローブを前記圧力センサーに結合することが、前記導管の副ルーメンを前記圧力センサーおよび前記導管ポートに結合することを含み；
前記主ルーメンが、前記空洞を通して前記マニホールドに流体的に結合され、および前記副ルーメンが、前記センサープローブを通して前記マニホールドに空気圧的に結合されることを特徴とする、方法。
【請求項５２】
請求項４９に記載の方法において、前記シール部材に前記開口部を形成することをさらに含むことを特徴とする、方法。